(57)【要約】【課題】挿通抵抗が小さく、挿通作業が容易となる防水栓を提供する。【解決手段】防水栓１１において、弾性材からなり内方に電線が挿通される筒部１３と、筒部１３の軸線２５に沿う方向の中間部に形成され、筒部１３の内壁面２７から半径方向内側に向かって突出された環状列がリップ開口３１となる環状の電線用リップ部２９と、電線用リップ部２９の一方の突出基端３９に接続されて筒部１３を徐々に拡径して形成されるテーパー部３７と、テーパー部３７の拡径終端縁４１に接続され縮径して筒部１３に接続されるめくり部４３と、を設けた。【選択図】図１
2014167884.tif 000002
【特許請求の範囲】
【請求項１】
弾性材からなり内方に電線が挿通される筒部と、
前記筒部の軸線に沿う方向の中間部に形成され、前記筒部の内壁面から半径方向内側に向かって突出された環状列がリップ開口となる環状の電線用リップ部と、
前記電線用リップ部の一方の突出基端に接続されて前記筒部を徐々に拡径して形成されるテーパー部と、
前記テーパー部の拡径終端縁に接続され縮径して前記筒部に接続されるめくり部と、
を備えることを特徴とする防水栓。
【請求項２】
請求項１記載の防水栓であって、
前記拡径終端縁と前記めくり部との間に、前記筒部の軸線と平行な平行外周壁部が形成されていることを特徴とする防水栓。
【請求項３】
請求項１または請求項２記載の防水栓であって、
前記筒部のめくり部側の端部に鍔部が形成されていることを特徴とする防水栓。
【発明の詳細な説明】
【技術分野】
【０００１】
本発明は、防水栓に関する。
【背景技術】
【０００２】
防水コネクタ等に使用されるゴム製の防水栓は、全体として筒状をなすことにより、ターミナルに接続される電線が嵌通可能となっている。この防水栓の内周には電線に弾性的に密着するリップ部が形成され、外周にはターミナルが収容されるキャビティの内壁に弾性的に密着するリップ部が形成されている。これらのリップ部により電線との隙間及びキャビティとの隙間をシールするようになっている。
【０００３】
例えば特許文献１に開示される図４の防水用ゴム栓（防水栓）５０１は、外周側のキャビティ用リップ部５０３、５０５、５０７と、内周側の電線用リップ部５０９、５１１、５１３とが軸方向において互いにずれて配置されている。よって、電線５１５が嵌通されたときに、電線用リップ部５０９、５１１、５１３の全体的な拡径変形が生じ易くなり、嵌通抵抗が小さく抑えられる。
【先行技術文献】
【特許文献】
【０００４】
【特許文献１】特開平９−４５４２８号公報
【発明の概要】
【発明が解決しようとする課題】
【０００５】
しかしながら、上述した防水用ゴム栓５０１に電線５１５を挿通するときは、電線用リップ部５０９、５１１、５１３を弾性撓みさせることは避けられないため、挿通抵抗が十分に小さいとは言えず、挿通作業も容易でない。特に、複数の電線貫通孔を備えたキャビティ等に電線５１５を挿通し、それぞれの電線貫通孔と電線５１５との間を防水用ゴム栓５０１を用いて水密にシールする場合には、多数の防水用ゴム栓５０１に電線５１５を挿通しなければならず、挿通が容易でないと、多大な労力を費やすことになった。また、複数の電線貫通孔を備えたハウジング等に複数の電線５１５を自動化によって同時に挿通する場合には、それぞれの挿通抵抗の小さい方が有利となる。
【０００６】
本発明は上記状況に鑑みてなされたもので、その目的は、挿通抵抗が小さく、挿通作業が容易となる防水栓を提供することにある。
【課題を解決するための手段】
【０００７】
本発明に係る上記目的は、下記構成により達成される。
（１）  弾性材からなり内方に電線が挿通される筒部と、前記筒部の軸線に沿う方向の中間部に形成され、前記筒部の内壁面から半径方向内側に向かって突出された環状列がリップ開口となる環状の電線用リップ部と、前記電線用リップ部の一方の突出基端に接続されて前記筒部を徐々に拡径して形成されるテーパー部と、前記テーパー部の拡径終端縁に接続され縮径して前記筒部に接続されるめくり部と、を備えることを特徴とする防水栓。
【０００８】
上記（１）の構成の防水栓によれば、電線を挿通する際には、縮径治具によってテーパー部の拡径終端縁を半径方向内側及びめくり部側へ押圧付勢して縮径させる。すると、めくり部が倒れて筒部に近接し、拡径終端縁がそのめくり部に覆い被さる状態となる。同時に、テーパー部は、小径部側の新たな部分が引き寄せられて縮径治具に密着して行く。そして、テーパー部は、めくり部を巻き込んだ状態で小径部側がめくり部側に引き寄せられるので、小径部が拡径方向に引っ張られ、小径部に接続された電線用リップ部のリップ開口が拡径される。
これにより、挿通する電線が電線用リップ部に干渉しなくなり、電線の挿通抵抗が低減される。電線が挿通された状態で縮径治具による縮径が解除されると、テーパー部及びめくり部が弾性復元し、めくり部に巻き込まれていたテーパー部が戻され、小径部の引き寄せが解除される。引き寄せが解除されて小径部が引っ張られなくなると、リップ開口が縮径される。そして、筒部内方の元の位置に戻った電線用リップ部が、電線の外周に接触して弾性撓みする。これにより、電線と防水栓との間が電線用リップ部により水密にシールされる。
【０００９】
（２）  上記（１）の構成の防水栓であって、前記拡径終端縁と前記めくり部との間に、前記筒部の軸線と平行な平行外周壁部が形成されていることを特徴とする防水栓。
【００１０】
上記（２）の構成の防水栓によれば、テーパー部の拡径終端縁を半径方向内側及びめくり部側へ押圧付勢するため縮径治具を移動させる際、平行外周壁部によって縮径治具と拡径終端縁との摩擦力を大きくでき、テーパー部の小径部側を確実に引き寄せることができる。
【００１１】
（３）  上記（１）または（２）の構成の防水栓であって、前記筒部のめくり部側の端部に鍔部が形成されていることを特徴とする防水栓。
【００１２】
上記（３）の構成の防水栓によれば、縮径治具によりテーパー部の拡径終端縁を半径方向内側及びめくり部側へ押圧付勢する際、鍔部に当接させた支持治具により筒部のめくり部側への移動を規制することができ、縮径治具を用いた電線用リップ部の拡径作業が容易となる。
【発明の効果】
【００１３】
本発明に係る防水栓によれば、挿通抵抗を小さくして、挿通作業を容易にできる。
【００１４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１５】
【図１】（ａ）は本発明の一実施形態に係る防水栓を軸線方向から見た正面図、（ｂ）は（ａ）のＡ−Ａ断面矢視図である。
【図２】図１に示した防水栓のテーパー部が縮径治具によって縮径されてリップ開口が拡径された状態の断面図である。
【図３】（ａ）はテーパー部の引き寄せ前の防水栓の縦断面図、（ｂ）は縮径治具によってテーパー部が引き寄せられた防水栓の縦断面図、（ｃ）は電線が挿通された防水栓の縦断面図、（ｄ）はテーパー部が引き寄せ前の形状に戻されて電線との間が電線用リップ部によってシールされた防水栓の縦断面図である。
【図４】従来の防水用ゴム栓の断面図である。
【発明を実施するための形態】
【００１６】
以下、本発明の一実施形態に係る防水栓を図面を参照して説明する。
図１に示すように、本実施形態に係る防水栓１１は、ゴム等の弾性材からなり内方に電線が挿通される筒部１３を有する。筒部１３の内方は、一端部１５と他端部１７とで開放する電線挿通孔１９となる。本実施形態では、１本の電線２１（図３参照）を挿通する場合を例に説明する。なお、防水栓１１は、複数本の電線２１を束ねた電線束を挿通するものであってもよい。
【００１７】
防水栓１１は、筒部１３の一端部１５に鍔部２３が形成されている。鍔部２３は、例えば円形状に形成され、筒部１３の外径よりも大きくなって半径方向外側に張り出す。鍔部２３は、筒部１３と同一素材で一体に形成されるが、筒部１３と別素材で形成することもできる。鍔部２３は、筒部１３が軸線２５に沿う方向に圧縮されて弾性変形しても、変形しない強度となる十分な厚みを有している。
【００１８】
筒部１３の軸線２５に沿う方向の中間部には、環状の電線用リップ部２９が設けられている。尚、本明細書において筒部１３の中間部とは、筒部１３の両端部間の部分である。即ち、本実施形態においては、電線用リップ部２９が筒部１３の略中央部に形成されているが、電線用リップ部２９は筒部１３の何れかの端部側に寄った位置に形成されてもよいことは云うまでもない。
【００１９】
電線用リップ部２９は、筒部１３の内壁面２７から半径方向内側に向かって突出された環状列がリップ開口３１となる。
テーパー部３７は、電線用リップ部２９の一方（一端部１５側）の突出基端３９に接続され一端部１５側に筒部１３を徐々に拡径して形成される。
めくり部４３は、テーパー部３７の拡径終端縁４１に接続され縮径して筒部１３に接続される。拡径終端縁４１とめくり部４３との間には、筒部１３の軸線２５と平行な平行外周壁部４７が形成されている。テーパー部３７とめくり部４３とは、この平行外周壁部４７を介して連続して接続される。そこで、テーパー部３７とめくり部４３との間には間隙４５が形成されている。
【００２０】
本実施形態の防水栓１１は、電線用リップ部２９の他端部１７側に、膨出部３５が接続されている。膨出部３５は、軸線２５を含む面によって切り欠いた断面形状が、筒部１３の外周よりも隆起した山形となるように形成されている。そこで、電線用リップ部２９の外周側には、外周がくびれた断面Ｖ字状の周溝３３が形成される。
【００２１】
このように、断面Ｖ字状となった電線用リップ部２９は、一端部１５側に引き寄せられることにより、リップ開口３１が拡径される。この際、膨出部３５は、リップ開口３１を拡径し易くすることができる。電線用リップ部２９は、筒部１３の内方に挿通される電線２１に弾性撓みして密着するが、膨出部３５はこの弾性の一部を担うことができる。これにより、電線用リップ部２９は、電線用リップ部２９と膨出部３５との双方の弾性復元力によって電線２１に密着し、へたり難くなっている。
【００２２】
本実施形態の防水栓１１は、平行外周壁部４７が円周方向の複数箇所で、半径方向内側及びめくり部４３側に押圧付勢されると、テーパー部３７とめくり部４３が一端部１５側に向かって傾斜しているため、図２に示すように、めくり部４３が一端部１５の方向に向かって筒部１３の外周に接するようにして潰れる（倒れる）。
【００２３】
ここで、平行外周壁部４７を半径方向内側及びめくり部４３側に押圧付勢するためには、図２に示すような縮径治具４９が使用される。縮径治具４９は、少なくとも３つ以上の押圧片がチャック状となって円周方向に等間隔に設けられている。これにより、縮径治具４９は、平行外周壁部４７を円周方向等間隔で等しい押圧力により半径方向内側及びめくり部４３側に押圧付勢できるようになっている。
【００２４】
次に、上記構成を有する防水栓１１の作用を説明する。
図３（ａ）に示すように、防水栓１１は、通常状態において、筒部１３の内方の電線挿通孔１９に、電線２１の外径よりも内径の小さいリップ開口３１が電線用リップ部２９によって形成される。この状態で電線２１を挿通しても、電線用リップ部２９を弾性撓みさせなければならず、挿通抵抗は大きい。
【００２５】
そこで、防水栓１１に電線２１を挿通するには、拡径終端縁４１を半径方向内側及びめくり部４３側へ縮径させる縮径治具４９が使用される。図３（ｂ）に示すように、テーパー部３７は、縮径治具４９によって拡径終端縁４１が縮径されると、めくり部４３が一端部１５側に倒れて筒部１３に近接し、拡径終端縁４１がそのめくり部４３に覆い被さる状態となる。同時に、テーパー部３７は、小径部５１側の新たな部分が引き寄せられて縮径治具４９に密着して行く。
【００２６】
そして、テーパー部３７は、めくり部４３を巻き込んだ状態で小径部５１側がめくり部４３側に引き寄せられるので、小径部５１が拡径方向に引っ張られ、小径部５１に接続された電線用リップ部２９のリップ開口３１が拡径されることになる。
【００２７】
本実施形態では、電線用リップ部２９が断面Ｖ字状に形成される。断面Ｖ字状の電線用リップ部２９は、突出基端３９が小径部５１によって引っ張られることで、素材の弾性のみに依存せず、構造的に周溝３３の底（リップ開口３１の近傍部）が容易に変位する屈曲変形部となっている。これにより、単に同一内径の筒部１３の内壁面２７から円環状の電線用リップ部２９を突出させた直線的な変形部に比べ、電線用リップ部２９を拡径し易くしている。
【００２８】
図３（ｃ）に示すように、リップ開口３１が拡径されることで、挿通される電線２１が電線用リップ部２９に干渉しなくなり、電線２１の挿通抵抗が低減される。
電線２１が挿通された状態で、図３（ｄ）に示すように、縮径治具４９による縮径が解除されると、テーパー部３７及びめくり部４３が弾性復元し、めくり部４３に巻き込まれていたテーパー部３７が戻され、小径部５１の引き寄せが解除される。引き寄せが解除されて小径部５１が引っ張られなくなると、リップ開口３１が縮径されるそして、筒部内方の元の位置に戻った電線用リップ部２９が、電線２１の外周に接触して弾性撓みする。これにより、電線２１と防水栓１１との間が電線用リップ部２９により水密にシールされる。
【００２９】
なお、本実施形態に係る防水栓１１は、筒部１３の一端部１５に鍔部２３が形成されている。そこで、縮径治具４９によってテーパー部３７の拡径終端縁４１を半径方向内側及びめくり部４３側へ押圧付勢する際、筒部１３のめくり部４３側への移動を規制するために、鍔部２３には図３（ｂ）に示す支持治具５３を当接することができる。縮径治具４９と支持治具５３とは、相対的に接近離反方向に移動するように構成することができ、何れか一方が移動しても、双方が移動してもよい。
【００３０】
鍔部２３が支持治具５３に当接して固定され、平行外周壁部４７を縮径した縮径治具４９が、鍔部２３に向かって移動されたとき、平行外周壁部４７と縮径治具４９とは摩擦力によって相対移動しないように密着する。即ち、本実施形態の防水栓１１では、平行外周壁部４７が設けられていることで、縮径治具４９が一端部１５側移動する際、拡径終端縁４１との摩擦力を大きくできる。これにより、防水栓１１は、テーパー部３７の小径部５１側を鍔部２３の方向により確実に引き寄せできる。
従って、本実施形態に係る防水栓１１によれば、挿通抵抗を小さくして、挿通作業を容易にできる。
【００３１】
本発明の防水栓は、上述した実施形態に限定されるものではなく、適宜、変形、改良等が可能である。その他、上述した実施形態における各構成要素の材質、形状、寸法、数、配置箇所等は本発明を達成できるものであれば任意であり、限定されない。
【符号の説明】
【００３２】
１１…防水栓
１３…筒部
１５…一端部
２１…電線
２３…鍔部
２５…軸線
２７…内壁面
２９…電線用リップ部
３１…リップ開口
３７…テーパー部
３９…突出基端
４１…拡径終端縁
４３…めくり部
４７…平行外周壁部
【図１】
2014167884.tif 000003
【図２】
2014167884.tif 000004
【図３】
2014167884.tif 000005
【図４】
2014167884.tif 000006